(57)【特許請求の範囲】
【請求項１】
複数の太陽電池モジュールが連結されて構成される複数の太陽電池ストリングを備えており、発電電力を生産する太陽電池アレイと、
前記複数の太陽電池ストリングのそれぞれの最大電力点追従制御を行い、前記複数の太陽電池ストリングのそれぞれから出力される前記発電電力の発電電圧を同一の大きさの出力電圧に変換するストリングオプティマと、
前記ストリングオプティマから変圧された前記発電電力を交流電力に変換して出力し、前記発電電力の変換のための複数の変換部と、前記発電電力を前記複数の変換部に分配するための配電部と、を備えており、前記発電電力の大きさに応じて前記複数の変換部のうち駆動される変換部の数を可変するインバーターと
を含み、
前記ストリングオプティマは、
前記複数の太陽電池ストリングのそれぞれと連結され、前記発電電圧を前記出力電圧に変換して前記最大電力点追従制御を行うストリング制御装置と、
前記太陽電池モジュールの発電量を変化させる環境要素、前記発電電圧及び前記出力電圧を含む感知値を生成する感知部と、
前記感知値を用いて前記ストリング制御装置のそれぞれに対する電力追従制御信号を生成する制御部とを含んで構成され、
前記制御部は、
前記感知値によって最大電力点追従が行われる電流または電圧範囲が含まれた追従範囲値を算出する追従範囲算出部と、
前記追従範囲算出部からの前記追従範囲値、入力電圧及び前記出力電圧によって最大電力点追従制御信号を生成する制御信号生成部と、
前記追従範囲値を前記感知値と対応させて保存する追従履歴保存部とを含んで構成されたことを特徴とするマルチインバーター太陽光発電システム。
【請求項２】
前記複数の変換部は、変換容量が同一であることを特徴とする、請求項１に記載のマルチインバーター太陽光発電システム。
【請求項３】
前記インバーターは、インバーター制御部をさらに含み、
前記インバーター制御部は、前記複数の変換部のうち前記発電電力のために稼動された駆動時間が他の変換部に比べて相対的に短い変換部が優先的に駆動されるように前記配電部の分配を制御することを特徴とする、請求項１に記載のマルチインバーター太陽光発電システム。
【請求項４】
前記環境要素は、日照量、前記太陽電池モジュールが設置された地域の温度、前記太陽電池モジュール表面の温度、風量、風速及び湿度のうちいずれか一つ以上を含むことを特徴とする、請求項１に記載のマルチインバーター太陽光発電システム。
【請求項５】
前記出力電圧は可変することを特徴とする、請求項４に記載のマルチインバーター太陽光発電システム。
【請求項６】
前記ストリング制御装置は、
前記太陽電池ストリングからの前記入力電圧を昇圧または減圧するコンバーターと、
前記太陽電池ストリングと前記コンバーターとの間に連結されるヒューズと、
前記コンバーターの出力端に連結されるサーキットブレーカーと、
前記コンバーターの前記昇圧または減圧のための制御信号を生成するＭＰＰＴ制御器と、を含んで構成されたことを特徴とする請求項５に記載のマルチインバーター太陽光発電システム。
【請求項７】
前記追従範囲算出部は、
前記太陽電池モジュールの一日の発電時間を複数の時間区画に区分し、前記複数の時間区画のそれぞれの基本追従範囲を算出することを特徴とする、請求項１に記載のマルチインバーター太陽光発電システム。
【請求項８】
前記追従範囲算出部は、
前記基本追従範囲に環境要素感知値による発電量変化予想範囲を反映して前記基本追従範囲を算出することを特徴とする、請求項７に記載のマルチインバーター太陽光発電システム。
【請求項９】
前記追従範囲算出部は、
前記発電電圧及び前記出力電圧が一時的に前記時間区画で予想される最大追従範囲を超える場合、前記発電電圧及び前記出力電圧の超過分に対する電力追従を省略することを特徴とする、請求項１に記載のマルチインバーター太陽光発電システム。
【発明の詳細な説明】
【技術分野】
【０００１】
本発明は、複数の変換部が備えられたインバーターを有する太陽光発電システムに関し、特に、太陽光電池アレイから生産される電力量に応じてインバーターの容量を可変し、インバーターの使用効率を向上させるようにしたマルチインバーター太陽光発電システムに関する。
【背景技術】
【０００２】
太陽光発電において、現在使用されている太陽電池の一つの出力は非常に小さいので、必要な出力を効率的に得るためには、多数の太陽電池を直列に連結して太陽電池モジュール（ＰＶ  ｍｏｄｕｌｅ：Ｐｈｏｔｏｖｏｌｔａｉｃ  ｍｏｄｕｌｅ）を構成したものを使用する。太陽電池モジュールの一つで発生する電力は、１個の太陽電池に比べて大きい容量を有するが、小型装置の電源としての利用が可能であるだけで、一般の商用電力系統に発電電力を供給するには、電力量が小さいので無理がある。
【０００３】
このために、電力系統に連結して発電電力を送電しようとする場合、いくつかの太陽電池モジュールを一つのグループに連結したり、または、このようなグループを多数並列に連結して太陽電池アレイ（ＰＶ  ａｒｒａｙ）を構成し、これを通じて発電及び送電に必要な電圧及び電力を確保するようにしている。このような電圧及び電力の確保のために、太陽電池モジュールを直列に連結してストリングを構成し、複数のストリングを一つのグループにして太陽電池アレイを構成することが普遍的である。
【０００４】
図１は、従来の太陽光発電装置を概略的に示した構成図である。
【０００５】
図１を参照すると、従来の太陽光発電装置は、複数の太陽光モジュール１０を直列に連結して一つのストリング２０を構成し、このようなストリング２０を多数並列に連結して一つのアレイ１０Ａとして構成する。そして、太陽電池アレイ１０Ａからの出力を集めてインバーターに供給することによって、直流電力が交流電力に変換されて電力系統に供給される。
【０００６】
このような従来の太陽光発電装置は、太陽電池アレイ１０Ａの最大発電量を考慮してインバーター４０の容量を決定する。すなわち、インバーター４０の容量は、太陽電池アレイ１０Ａの発電量が最大であるときに生産される電力量と同一であるか、またはそれより大きい容量を有するように決定される。しかし、このように太陽電池アレイの最大生産電力量と同じ容量のインバーター４０を用いる場合、太陽電池アレイが生産する電力量がインバーター４０の容量に比べて少ない場合が頻繁であり、インバーター４０の効率低下が発生するという問題がある。
【発明の概要】
【発明が解決しようとする課題】
【０００７】
したがって、本発明の目的は、太陽光電池アレイから生産される電力量に応じてインバーターの容量を可変し、インバーターの使用効率を向上させるようにしたマルチインバーター太陽光発電システムを提供することにある。
【０００８】
また、本発明の他の目的は、太陽電池ストリング別に最大電力追従を行い、最大電力生産が行われるようにすると同時に、最大電力追従時に環境要因を適用し、迅速且つ効率的な最大電力追従が行われるようにしたマルチインバーター太陽光発電システムを提供することにある。
【課題を解決するための手段】
【０００９】
複数の太陽電池モジュールが連結されて構成される複数の太陽電池ストリングを備えており、発電電力を生産する太陽電池アレイ；前記複数の太陽電池ストリングのそれぞれの最大電力点追従制御を行い、前記複数の太陽電池ストリングのそれぞれから出力される前記発電電力の発電電圧を同一の大きさの出力電圧に変換するストリングオプティマ；及び前記ストリングオプティマから変圧された前記出力電力を交流電力に変換して出力し、前記発電電力の変換のための複数の変換部と、前記発電電力を前記複数の変換部に分配するための配電部とを備えており、前記発電電力の大きさに応じて前記複数の変換部のうち駆動される変換部の数を可変するインバーター；を含む。
【００１０】
前記複数の変換部は、変換容量が同一である。
【００１１】
前記インバーターは、インバーター制御部をさらに含み、前記インバーター制御部は、前記複数の変換部のうち前記発電電力のために稼動された駆動時間が他の変換部に比べて相対的に短い変換部が優先的に駆動されるように前記配電部の分配を制御する。
【００１２】
前記ストリングオプティマは、前記複数の太陽電池ストリングのそれぞれと連結され、前記発電電圧を前記出力電圧に変換して前記最大電力点追従制御を行うストリング制御装置；前記太陽電池モジュールの発電量を変化させる環境要素、前記発電電圧及び前記出力電圧を含む感知値を生成する感知部；及び前記感知値を用いて前記ストリング制御装置のそれぞれに対する電力追従制御信号を生成する制御部；を含む。
【００１３】
前記環境要素は、日照量、前記太陽電池モジュールが設置された地域の温度、前記太陽電池モジュール表面の温度、風量、風速及び湿度のうちいずれか一つ以上を含む。
【００１４】
前記出力電圧は可変する。
【００１５】
前記ストリング制御装置は、前記太陽電池ストリングからの前記入力電圧を昇圧または減圧するコンバーター；前記太陽電池ストリングと前記コンバーターとの間に連結されるヒューズ；前記コンバーターの出力端に連結されるサーキットブレーカー；及び前記コンバーターの前記昇圧または減圧のための制御信号を生成するＭＰＰＴ制御器；を含む。
【００１６】
前記制御部は、前記感知値によって最大電力点追従が行われる電流または電圧範囲が含まれた追従範囲値を算出する追従範囲算出部；前記追従範囲算出部からの前記追従範囲値、前記入力電圧及び前記出力電圧によって最大電力点追従制御信号を生成する制御信号生成部；及び前記追従範囲値を前記感知値と対応させて保存する追従履歴保存部；を含む。
【００１７】
前記追従範囲算出部は、前記太陽電池モジュールの一日の発電時間を複数の時間区画に区分し、前記時間区画のそれぞれの基本追従範囲を算出する。
【００１８】
前記追従範囲算出部は、前記基本追従範囲に前記環境要素感知値による発電量変化予想範囲を反映して前記追従範囲を算出する。
【００１９】
前記追従範囲算出部は、前記発電電圧及び前記出力電圧が一時的に前記時間区画で予想される最大追従範囲を超える場合、前記発電電圧及び前記出力電圧の超過分に対する電力追従を省略する。
【００２０】
前記太陽電池ストリングは、固定型または追跡型太陽電池モジュールである。
【発明の効果】
【００２１】
本発明に係るマルチインバーター太陽光発電システムは、太陽光電池アレイから生産される電力量に応じてインバーターの容量を可変し、インバーターの使用効率を向上させることができる。
【００２２】
また、本発明に係るマルチインバーター太陽光発電システムは、太陽電池ストリング別に最大電力追従を行い、最大電力生産が行われるようにすると同時に、最大電力追従時に環境要因を適用し、迅速且つ効率的な最大電力追従が行われるようにする。
【図面の簡単な説明】
【００２３】
【図１】従来の太陽光発電装置を概略的に示した構成図である。
【図２】本発明に係る太陽光発電システムの構成を示した例示図である。
【図３】ストリングオプティマの構成をより詳細に示した構成例示図である。
【図４】ストリングオプティマの制御部の構成をより詳細に示した構成例示図である。
【図５】環境要素のうち温度及び照度による追従範囲算出を説明するための例示図である。
【図６】時間による電力追従を説明するための例示図である。
【図７】追従履歴情報の保存及び利用方法を説明するための例示図である。
【図８】図２のインバーターの構成及び動作を説明するための例示図である。
【発明を実施するための形態】
【００２４】
以下、本発明の好適な実施例を添付の図面を参照して当該分野で通常の知識を有する者が容易に実施できるように説明する。添付の各図面において、構成に表記した図面番号は、他の図面でも同一の構成を表記するときに可能な限り同一の図面番号を使用していることに留意しなければならない。また、本発明を説明するにおいて、関連する公知の機能または公知の構成に対する具体的な説明が本発明の要旨を不要に不明確にし得ると判断される場合は、それについての詳細な説明を省略する。そして、図面に提示されたいずれかの特徴は、説明の容易さのために拡大、縮小または単純化されたものであって、図面及びその構成要素が必ずしも適切な比率で図示されてはいない。しかし、当業者であれば、このような詳細な事項を容易に理解するだろう。
【００２５】
図２は、本発明に係る太陽光発電システムの構成を示した例示図である。
【００２６】
図２を参照すると、本発明に係る太陽光発電システムは、太陽電池アレイ１００、ストリングオプティマ２００及びインバーター３００を含んで構成される。
【００２７】
太陽電池アレイ１００は、太陽光を電力に変換してストリングオプティマ２００に提供する。このために、太陽電池アレイ１００は複数の太陽電池ストリング１２０で構成され、各太陽電池ストリング１２０は、複数の太陽電池モジュール１１０を直列に連結して構成される。このような太陽電池アレイ１００に構成されたそれぞれの太陽電池ストリング１２０は、ストリング別に発電容量が異なる場合があり、互いに異なる太陽電池ストリング１２０は、異なる太陽電池モジュールで構成することができる。また、同一の太陽電池ストリング１２０に含まれる太陽電池モジュール１１０も、互いに異なる容量、発電電圧、作動方式を有することができる。具体的に、一つの太陽電池ストリング１２０は、発電電力が５ｋｗである太陽電池モジュールを複数直列に連結して構成することができ、他の太陽電池ストリング１２０は、発電電力が３ｋｗである太陽電池モジュール１１０を複数直列に連結して構成することができる。また、一つのストリングは、太陽電池モジュール１１０が固定された固定型太陽電池モジュールに構成し、他のストリングは、太陽に沿って太陽電池モジュール１１０の方向、角度が変更されるようにした追跡型太陽電池モジュールに構成することができる。併せて、太陽電池ストリング１２０のそれぞれは、ストリングオプティマ２００のストリング変換部２３０にそれぞれ連結され、発電電力をストリング変換部２３０に供給する。
【００２８】
ストリングオプティマ２００は、それぞれの太陽電池ストリング１２０から供給される電力をＤＣ―ＤＣ変換し、インバーター３００の入力電圧に符合する電圧に変換して供給する。このために、ストリングオプティマ２００は、最大電力点追従制御によるＤＣ―ＤＣ変換を行い、最大電力点追従の制御時、環境要素に発電量の変化を反映する。
【００２９】
このために、ストリングオプティマ２００は、それぞれの太陽電池ストリング１２０から供給される発電電力の電圧に対するＤＣ―ＤＣ変換及び最大電力点追従を行うストリング制御装置２２０と、環境要素及びストリング制御装置２２０への入出力電圧を感知値とし、ストリング制御装置２２０を制御するための制御信号を生成する制御部２１０とを含んで構成される。
【００３０】
制御部２１０は、複数のストリング制御装置２２０を個別的に制御するための制御信号を生成する。特に、制御部２１０は、ストリング制御装置２２０に伝達されるそれぞれの入力電圧及び出力電圧による各ストリング別の電力追従を行い、これによって生成された制御信号を該当のストリング制御装置２２０に伝達する。特に、制御部２１０は、センサー１３０から伝達される環境情報に応じて電力追従を行う。
【００３１】
具体的に、制御部２１０は、太陽電池モジュール１１０または太陽電池ストリング１２０が設置された位置の日射量、設置位置の温度、パネルの温度、時間などの環境情報に応じてそれぞれ異なる追従範囲を適用して最大電力点を追従し、これによる制御信号を生成してストリング制御装置２２０に伝達する。このような制御方法については、下記の他の図面を参照してより詳細に説明する。
【００３２】
ストリング制御装置２２０は、太陽電池ストリング１２０から供給される直流電圧をインバーター３００の入力直流電圧に変換して供給し、このような変換を制御部２１０の制御下で行う。
【００３３】
特に、ストリング制御装置２２０は、太陽電池ストリング１２０からストリング制御装置２２０に入力される入力電圧と、変換後にインバーターに出力される出力電圧値を制御部２１０に伝達する。ストリング制御装置２２０についての詳細な構成及び動作は、以下の図面を参照してより詳細に説明する。
【００３４】
感知部２９０は、太陽電池アレイ１００の発電量に影響を及ぼす環境要素を感知して感知値を生成し、生成された感知値をストリングオプティマ２００のストリング制御部２１０に伝達する。ここで、環境要素は、日射量、日照量、照度、太陽電池モジュール１１０の温度、太陽電池モジュール１１０または太陽電池ストリング１２０周辺の温度、風向き、風速、湿度のように発電量に直接的な影響があるか、太陽電池モジュール１１０の温度または障害物の有無のように発電量の変化をもたらし得る要素を含む。また、感知部２９０は、太陽光の日射量、日照量、照度及び太陽電池モジュール１１０の温度を必須的に感知し、感知結果を感知値に含ませてストリング制御部２１０に伝達する。このために、感知部２９０は、複数の感知センサーを含んで構成される。
【００３５】
インバーター３００は、ストリングオプティマ２００によって同一の電圧大きさを有するように変換された発電電力を受けて交流電力に変換する。特に、本発明のインバーター３００は、変換効率を高め、駆動による消耗及び故障を減少させるために複数の変換部３３０を選択的に駆動させる。このために、インバーター３００は、ストリングオプティマ２００から出力される直流電力を交流電力に変換するための複数の変換部３３０と、ストリングオプティマ２００から集められて出力される発電電力を複数の変換部３３０に分配するための配電部３２０とを含んで構成される。このインバーター３００は、発電電力の容量に応じて稼動される変換部３３０の数及び容量を判断し、判断結果に基づいて複数の変換部３３０のうち一つ以上を選択し、直流電力である発電電力を交流電力に変換する。このような変換部３３０は、制御の容易さ、交換及び生産の容易さのために同一の変換容量を有するように構成される。しかし、異なる変換容量を有する複数の変換部３３０で構成することができ、これによって本発明を限定することはない。併せて、インバーター３００、特に、インバーター制御部３１０は、稼動される変換部の選択のために変換部３３０の駆動時間を収集し、収集された駆動時間情報を確認した後、稼動時間の少ない変換部３３０を優先的に選択して駆動させるようになる。
【００３６】
図３は、ストリングオプティマの構成をより詳細に示した構成例示図である。
【００３７】
図３を参照すると、ストリングオプティマ２００は、ストリング制御装置２２０と太陽電池ストリング１２０との間にヒューズ２１１によって中継・連結される。ヒューズ２１１は、太陽電池ストリング１２０の過電圧、過電流の発生時に自動的に切断されて回路を保護する役割をする。また、ストリングオプティマ２００の出力端にはサーキットブレーカー２１２が設置され、このサーキットブレーカー２１２は、太陽電池ストリング１２０またはストリングオプティマ２００の異常発生時にインバーター３００とストリングオプティマ２００との間の連結を切る役割をする。
【００３８】
ストリング制御装置２２０のそれぞれは、ヒューズ２１１を介して太陽電池ストリング１２０に連結され、太陽電池ストリング１２０から供給される電力の電圧をインバーター３００の入力電圧に変換するＤＣ―ＤＣコンバーター２２２と、制御部２１０の制御信号に応じてコンバーター２２２が最大電力を出力するように制御するＭＰＰＴ制御器２２１とを含んで構成される。このために、ストリング制御装置の制御部２１０は、各ストリング制御装置２２０のＭＰＰＴ制御器２２１と連結される。
【００３９】
ストリング制御装置２２０のそれぞれに入力される入力電圧及びストリング制御装置２２０のそれぞれから出力される出力電圧は、ＭＰＰＴ制御器２２１によって測定されて制御部２１０に伝達することもでき、制御部２１０が各ストリング制御装置２２０の入出力端に設置された電圧検出器から電圧値を直接受けることもできる。しかし、これによって本発明を限定することはない。
【００４０】
図４は、ストリングオプティマの制御部の構成をより詳細に示した構成例示図である。
【００４１】
図４を参照すると、制御部は、感知部２１１、追従範囲算出部３１０、追従履歴保存部３２０及び制御信号生成部３３０を含んで構成される。
【００４２】
感知部２１１は、制御信号の生成のための情報を感知して追従範囲算出部３１０に伝達する。このために、感知部２１１は、入力電圧検出部３０１、出力電圧検出部３０２及びセンサー１３０を含んで構成される。入力電圧検出部３０１は、ストリングオプティマ２００に入力される入力電力の電圧を検出する。出力電圧検出部３０２は、ストリングオプティマ２００から出力される電力の電圧を検出する。このような入力電圧検出部３０１と出力電圧検出部３０２は、複数のストリング制御装置２２０のそれぞれの入力電圧と出力電圧を実時間で感知して追従範囲算出部３１０に伝達する。センサー１３０は、太陽電池アレイ１００に影響を及ぼす環境要素を感知し、感知結果を追従範囲算出部３１０に伝達する。センサー１３０によって感知される環境要素は、太陽電池アレイ１００に照射される太陽光の光量、照度、太陽電池アレイ１００が設置された地域の温度、湿度、太陽電池モジュール１１０のそれぞれの表面温度であり、その他に、発電量に変化をもたらし得る要素であればいずれも測定が可能である。
【００４３】
追従範囲算出部３１０は、感知部２１１の感知結果に従って最大電力推定を行う電圧、電流範囲を選択し、選択された範囲値を制御信号生成部３３０に伝達する。すなわち、追従範囲算出部３１０は、感知部２１１からの入力電圧、出力電圧及びセンサー１３０で感知される情報に基づいて太陽電池ストリング１２０から供給される電力の大きさを把握すると同時に、現在の気象状態による太陽電池モジュール１１０の電力生産値が最大になり得る電圧と電流範囲を算出する。
【００４４】
特に、このような算出において、追従範囲算出部３１０は、予め入力されたり、運行によって累積された情報に時刻情報、日付けまたは季節情報を反映して追従範囲を算出する。そして、追従範囲算出部３１０は、入力電圧と出力電圧を制御信号生成部３３０に伝達すると同時に、算出された追従範囲情報を制御信号生成部３３０及び及び追従履歴保存部３２０に伝達するようになる。このような追従範囲算出部３１０で生成される追従範囲は、太陽電池ストリング１２０のそれぞれに対して個別的に生成される。
【００４５】
このような追従範囲算出部３１０及びこれを有するストリングオプティマ２００の動作は、図５及びその後の図面を参照してより詳細に説明する。
【００４６】
追従履歴保存部３２０は、追従範囲算出部３１０から伝達された追従範囲情報を感知部２１１で感知された環境要素情報と共に保存し、追従範囲算出部３１０の要請に応じて保存された情報を提供する。特に、追従履歴保存部３２０は、日付け別時間帯、季節別または気象状態別環境要素による入力電圧、出力電圧及び最大電力の変化を記録して維持するようになる。
【００４７】
制御信号生成部３３０は、追従範囲算出部３１０を介して伝達される入力電圧及び出力電圧値と算出された追従範囲値を用いてＭＰＰＴ制御器２２１の電力変換率を制御するための制御信号を生成し、これを該当のＭＰＰＴ制御器２２１に伝達する。
【００４８】
図５は、環境要素のうち温度及び照度による追従範囲算出を説明するための例示図である。
【００４９】
図５を参照すると、（ａ）は、温度による太陽電池ストリングの出力電圧電流関係を示したグラフで、（ｂ）は、照度による太陽電池ストリングの出力電圧電流関係を示したグラフである。
【００５０】
（ａ）で照度が一定であるとき、温度が低くなると、太陽電池ストリングから生産される電圧の大きさが小さくなり、全体的な生産電力が小さくなる。（ａ）は、Ａに比べてＣが低い温度であるときの電圧電流グラフであって、電流が比較的一定の値を有する場合にも電圧の大きさが小さくなり、最大電力が小さくなる。
【００５１】
同様に、（ｂ）で他の条件が一定であるとき、照度が変化すると、Ａ'ないしＣ'を通じて分かるように、出力電圧（Ｖ：Ｖａ〜Ｖｃ）と出力電流（Ｉ：Ｉａ〜Ｉｃ）の値が変化し、最大電力が変化する。
【００５２】
そのため、本発明のストリングオプティマ２００、特に、追従範囲算出部３１０は、感知部２１１を通じて感知される環境要素に応じて最大電力点が形成される電圧、電流範囲を選定し、選定された電圧、電流範囲内で最大電力点追従が制御されるように算出された追従範囲値を制御信号生成部３３０に伝達するようになる。これを通じて、ＭＰＰＴ制御器２２１は、速い時間内に最大電力追従が行われ得る電圧、電流値で電力追従を行うようになり、その結果、太陽電池による発電効率を向上できるようになる。
【００５３】
具体的に、温度、特に、発電に直接的な影響を及ぼす太陽電池モジュール表面の温度は、他の環境要素の影響がない限り、時間の経過と共にゆっくり変化する特徴を有する。しかし、冬季などの場合、風によって太陽電池モジュール表面の温度が急激に低下し得る。すなわち、図５の（ａ）において、範囲１（Ｐ１）で最大電力点が形成される途中で温度が急激に低下し、範囲２（Ｐ２）で最大電力点が形成され得る。この場合、従来の制御装置は、範囲１（Ｐ１）に該当する電圧、電流を可変し、範囲２（Ｐ２）まで最大電力追従を行うようになり、これを通じて多くの時間がかかるようになる。特に、一時的な温度低下後、温度が速い速度で回復する場合は、最大電力追従に撹乱が発生し、正確な追従まで相当時間がかかる。
【００５４】
しかし、本発明のように、温度変化に応じて追従範囲を選定し、該当の範囲で電力追従を行うようにすると、速い追従が可能になり、その結果、発電電力の浪費を最小化することが可能になる。
【００５５】
図６は、時間による電力追従を説明するための例示図である。
【００５６】
図６の（ａ）は、発電時間を時間帯別に区画したことを表現した図で、（ｂ）は、時間区画による太陽電池ストリングの出力電圧及び出力電流の変化を示したグラフである。
【００５７】
図６を参照すると、太陽光発電において最も重要な要素は、発電のための光の有無と光量である。このような光量は、日が昇って沈むまで一定に維持されず、時間帯によって変化するようになる。特に、冬季の場合、正午前後の最大光量下でも、最大電力の発電が難しくなる場合が頻繁に発生する。特に、冬季の場合と、夜が明ける頃、日が沈む頃の場合、日照量の変化が急激に発生する。（ａ）のグラフが時計方向に進行するにつれて、（ｂ）の電圧電流グラフは、出力が増加する方向（ｘ１）に変化するようになる。そして、（ａ）で最大出力時点であるｂ５、ｂ６区間を経ると、（ｂ）のグラフは、出力が減少する方向（ｙ１）に変化するようになる。
【００５８】
このような時間帯と季節に単純に出力電圧及び入力電圧によって電力追従を行う場合、最大電力追従を行うとしても最大電力を生産することが難しくなる。特に、冬季または梅雨期などに気象及び温度が比較的急激に変化する場合、最大電力の追従がさらに難しくなり、これは、発電量の損失につながるようになる。
【００５９】
そのため、本発明では、最大電力追従範囲を近似化し得る時間帯別に発電時間を区画（Ｂ１〜Ｂ１０）し、各範囲別に追従範囲を選定し、ＭＰＰＴ制御器２２１の制御のための制御信号を生成するようになる。
【００６０】
具体的に、（ａ）が冬季の発電可能な時間帯を区画したものであると仮定すると、第１の区画（ｂ１）、第２の区画（ｂ２）、第９の区画（ｂ９）、第１０の区画（ｂ１０）では、日照量が急激に変化し、速い最大電力追従が難しくなる。しかし、このような時間に日照量と予め定められた区画及びそれによる電圧電流範囲を対照して追従範囲を算出し、算出された追従範囲内で電力追従を行う場合、最大電力点追従の速度及び効率を向上できるようになる。特に、各時間帯別に基本追従範囲を選定し、選定された基本追従範囲に温度による発電低下率、日射量による発電低下率を適用して追従範囲を再び算出し、これによる最大電力点追従を行うことによって環境要素を電力点追従範囲に容易に適用できるようになる。
【００６１】
また、このような発電低下率の計算は、計測当時の気象状況、発電量、形成される最大電力点情報と共に保存し、その後に類似環境が造成される場合、最大電力点追従をより速く行える根拠資料として活用することが可能になる。
【００６２】
すなわち、（ｂ）のように、時間帯によって出力電圧及び出力電流が変わると、変化する前の最大電力点から追従を進行するのではなく、該当の時間帯に該当する区画の追従範囲のうち以前の最大電力点と近い追従範囲で最大電力点追従を行うようになり、これを通じて最大電力点追従にかかる時間を節約できるようになる。その結果、発電効率を従来に比べて高い水準に維持できるようになる。
【００６３】
（ｂ）のように時間帯別に変化する追従値を有する場合、一時的な温度変化、気候変化が発生するとしても、時間帯別に変化する追従値に気候変化による発電効率の低下及び追従範囲の変動を適用することによって速い時間内に最大電力点の探索が可能になる。
【００６４】
図７は、追従履歴情報の保存及び利用方法を説明するための例示図である。
【００６５】
図７を参照すると、太陽電池ストリング１２０は、特定時間に図７の（ａ）のような出力グラフを示すことができる。このとき、Ｖ―Ｉグラフ上での最大出力追従範囲はＰ１１になる。追従範囲算出部３１０は、環境要素の変動がない場合、電圧Ｖｐ、電流Ｉｐ地点付近で電力追従が行われるように追従範囲を選定し、制御信号生成部３３０は、選定された追従範囲にコンバーターの入力及び出力電圧を反映して電力追従を行うことによって、太陽電池ストリング１２０が最大電力を生産するように動作するようになる。また、最大電力点追従が行われる条件、最大電力追従範囲の電圧、電流値、周辺温度、パネル温度、日照量、時間、風速及び風向き情報は、追従履歴保存部３２０に保存され、その後の類似条件による電力追従時に追従範囲を確定するための情報として用いられる。
【００６６】
このように、（ａ）グラフによって最大電力追従を行う途中で環境要素が変化すると、最大電力追従のためのグラフ自体が変化し得る。例えば、小さい範囲の温度変化、日照量変化の場合、（ａ）のグラフを通じて最大電力点追従が行われ得るが、大幅の温度変化が発生したり、日照量が変化すると、最大電力点追従のためのＶ―Ｉグラフの値も大きく変化するようになる。
【００６７】
この場合、上述したように、入出力電圧のフィードバックのみを有して最大出力点追従を行うと時間が長くかかり、安定的な追従及び最大電力生産が行われるまで発電システムの効率低下をもたらすようになる。
【００６８】
そのため、本発明では、このような要素に環境要素を付加し、最大電力点追従が速い時間内に行われるように制御するようになる。
【００６９】
このような状態が（ｂ）に示されている。（ｂ）は、（ａ）のグラフによって電力追従が行われていた太陽電池ストリング１２０の温度と日照量が変化し、Ｖ―Ｉグラフが変化した場合を示している。この場合、最大電力点は、Ｐ１１の範囲で形成されていたものがＰ１２の範囲に変更される。このようなＶ―Ｉグラフの変化は、従来のように入力電圧及び出力電圧によって追従することも可能である。しかし、本発明のように、環境要素の変化とそれによる出力率の変化またはＶ―Ｉグラフの変化を適用すると、より速い応答を期待することができる。
【００７０】
例えば、（ｂ）のグラフのように、日照量と温度が変化した場合、通常、日照量と変化した温度のみを反映して追従範囲を選択することができる。しかし、本発明のように、環境要素を推定範囲に反映する場合、周辺温度に応じてパネルの温度変化を予測し、Ｖ―Ｉグラフの変化を追従することができる。さらに、冬季などの場合、太陽光によって太陽電池モジュールが加熱されるとしても、太陽電池が設置された位置の温度、風速に応じて太陽電池パネルの温度が変わり、これは、電力生産において直接的な影響を及ぼすようになる。この場合、追従履歴保存部３２０に保存された以前の追従情報から類似要因を確認して適用することによって、予想される追従範囲を予め近似化することができ、太陽電池ストリング１２０の入力及び出力電圧が変動する場合、予想された追従範囲に入力及び出力電圧の値を適用し、最大電力点追従のための電圧及び電流範囲を容易に見出せるようになる。
【００７１】
さらに、図６に対する説明で言及したように、本発明のストリングオプティマ２００は、発電時間を多くの段階に区画し、各時間区画別に代表される追従範囲に環境要素及びコンバーターの入出力電圧を反映して電力追従を行う。
【００７２】
このような時刻区画別の基本追従範囲を用いた追従は、累積された発電時間帯と温度などの環境要素を通じて発電が進行中である時点の季節、気候的要素を予測することができ、これを通じて追従範囲の変化を予測・追従することが容易になる。さらに、冬のように季節による環境要素が発電に大きな影響を及ぼす場合、このような時間帯別の区画による追従は最大電力点追従に有利に作用する。
【００７３】
最大電力点追従の場合、持続的に変わる電圧または電流によって追従を行うようになるが、一時的に電圧または電流に大きな変動が発生し得る。この場合、電圧または電流の変動に応じて追従を行う場合、一時的な変動が解除された後の追従において効率が低下するようになる。しかし、時間を区画し、該当の時間が属する季節的な要素を考慮して追従範囲を制限すると、短い瞬間の間に発生する電圧、電流の大きな変動は追従しなくなり、これを通じて発電効率の低下を防止できるようになる。また、時間帯別の区画に応じて電圧または電流が上昇するか、それとも下降するかを予測し、これに対して環境要素及びコンバーターの入出力電圧を反映することによって追従方向を決定しやすくなり、速い応答の最大電力点追従が可能になる。さらに、このような発電に関与する各環境的要素を時間区画及び時間区画による季節区分に従って整列及び接近して追従範囲の選定に用いることによって、既存に比べて大きく複雑でないアルゴリズムを用いて速い追従が可能になる。
【００７４】
図８は、図２のインバーターの構成及び動作を説明するための例示図である。
【００７５】
図８を参照すると、上述したように、本発明のインバーター３００は、インバーター制御部３１０、配電部３２０及び変換部３３０を含んで構成される。
【００７６】
本発明のインバーター３００は、ストリングオプティマ２００を介して伝達される発電電力の量に応じて駆動される変換部３３０の数を可変させることによって、インバーター３００の駆動効率の低下、変換効率の低下、老朽化加速を防止し、最適の状態で直流―交流変換を行うようになる。
【００７７】
図８は、同一の容量の変換部３３０が５個で構成されている例を示している。このような変換部３３０は、インバーター制御部３１０のスイッチング制御に従って動作する配電部３２０によって動作を行うようになる。
【００７８】
具体的に、ストリングオプティマ２００は、各太陽電池ストリング１２０から提供される発電電力を直流―直流変換し、同一の電圧を有するインバーター入力電圧に変換する。このように変換された入力電圧は、図８に示したように一つに集められてインバーター３００の配電部３２０に供給される。
【００７９】
配電部３２０は、このようなインバーターの入力電圧に合わせて電圧大きさが変換された発電電力を変換部３３０に分配し、変換部３３０が直流形態の発電電力を交流形態の電力に変換できるようにする。
【００８０】
このために、インバーター制御部３１０は、ストリングオプティマ２００または別途の計測器を通じて発電電力の大きさを判断し、稼動される変換部３３０の数を決定する。例えば、各変換部３３０の変換容量が５０ＫＶＡ（または５０ＫＷ）で、ストリングオプティマ２００から伝達される電力の大きさが１２０ＫＶＡ（または１２０ＫＷ）であるとすると、インバーター制御部３１０は、駆動される変換部３３０の数を３個と判断する。
【００８１】
駆動される変換部３３０の数が決定されると、インバーター制御部３１０は、スイッチング制御信号を配電部３２０に伝達し、配電部３２０が３個の変換部３３０に電力を供給できる回路を構成するように制御する。配電部３２０は、スイッチ制御信号に従ってＩＧＢＴなどの電力スイッチング素子を動作させ、３個の変換部３３０とストリングオプティマ２００の出力ラインが連結されるようにする。
【００８２】
このとき、インバーター制御部３１０は、駆動される変換部３３０の数のみならず、駆動される変換部３３０を選択することが可能であり、特に、各変換部３３０の駆動時間に応じて選択することが可能である。すなわち、インバーター制御部３１０は、変換部３３０の駆動時間が均一になるように駆動を制御する。このために、インバーター制御部３１０は、各変換部３３０の駆動時間を測定し、駆動時間の少ない変換部３３０を優先的に駆動するように配電部３２０のスイッチングを制御する。
【００８３】
以上では、本発明の技術的思想を例示するために具体的な実施例を図示及び説明したが、本発明は、前記のように具体的な実施例と同一の構成及び作用のみに限定されず、多様な変形が本発明の範囲を逸脱しない限度内で実施され得る。したがって、そのような変形も、本発明の範囲に属するものと見なすべきであり、本発明の範囲は、後述する特許請求の範囲によって決定すべきである。
【産業上の利用可能性】
【００８４】
本発明は一つのインバーターを複数の変換部で構成し、発電電力量に応じて駆動される変換部の数を異ならせて駆動する。これを通じて、本発明は、発電電力量に比べて大きいか又は小さい変換容量を有するインバーターによって電力変換を行うことによって発生し得る効率低下を防止し、結果的に、生産される電力量の増大を期待することができる。
【００８５】
特に、本発明は、既存の太陽光発電システムに構成されるインバーターに取って代わるものを設置することによって、既存の施設の効率向上を通じた発電量の増大及び既存の施設の使用による再設置費の節減が可能である。
【００８６】
また、本発明は、既存の太陽光発電システムと異なって、複数の変換部を構成することによって、変換部のうちいずれか一つに故障が発生するとしても、発電システムを連続的に運営することが可能であり、結果的に、総発電電力量を増加させることができる。
【図１】
0005901792.tif 000002
【図２】
0005901792.tif 000003
【図３】
0005901792.tif 000004
【図４】
0005901792.tif 000005
【図５】
0005901792.tif 000006
【図６】
0005901792.tif 000007
【図７】
0005901792.tif 000008
【図８】
0005901792.tif 000009